(57)【要約】  室外機（９０）は、上下に並べて配置された二つの室外ファン（７ａ，７ｂ）の各々を駆動する二つのファンモータ（８ａ，８ｂ）と、二つのファンモータ接続部（１５ａ，１５ｂ）に接続された二つのファンモータ（８ａ，８ｂ）の各々へ独立して電力供給可能なファンモータ電力供給部を有する制御装置（１６）と、制御装置（１６）を囲う電装品箱（４０）の内部に設置されて電装品の温度を測定する電装品温度センサ（１７）とを備え、制御装置（１６）は、片ファン運転時には、片ファン運転開始時の電装品の温度と、片ファン運転を開始してから設定時間経過後の電装品の温度との比較により、二つのファンモータ（８ａ，８ｂ）の各々が二つのファンモータ接続部（１５ａ，１５ｂ）のどちらに接続されているか検知し、検知の結果に基づいて、上方に配置された室外ファン（７ａ，７ｂ）が駆動するように電力供給を行うコントローラを備える。
2020049633.tif 000002
【特許請求の範囲】
【請求項１】
圧縮機と流路切替装置と室外熱交換器と減圧装置と室内熱交換器とが冷媒配管を介して接続された冷媒回路と、
上下に並べて配置され、前記室外熱交換器に空気を供給する二つの室外ファンと、
前記二つの室外ファンの各々を駆動する二つのファンモータと、
前記ファンモータを接続可能な二つのファンモータ接続部と、前記ファンモータ接続部に接続された前記二つのファンモータの各々へ独立して電力供給可能なファンモータ電力供給部を有する制御装置と、
前記制御装置を囲う電装品箱の内部に設置されて少なくとも前記制御装置を構成する部品を含む電装品の温度を測定する電装品温度センサとを備え、
前記制御装置は、前記二つの室外ファンのうち上側の一方のみを運転する片ファン運転時には、前記片ファン運転の開始時の前記電装品の温度と、前記片ファン運転を開始してから設定時間経過後の前記電装品の温度との比較により、前記二つのファンモータの各々が前記二つのファンモータ接続部のどちらに接続されているかを検知し、前記検知の結果に基づいて、上方に配置された前記室外ファンが駆動するように電力供給を行うコントローラを備える空気調和機の室外機。
【請求項２】
前記二つのファンモータの各々が前記二つのファンモータ接続部のどちらに接続されているかを示す接続状態情報を記憶する接続状態記憶部を備え、
前記コントローラは、前記片ファン運転の開始時に、前記接続状態情報を前記接続状態記憶部から読み出し、前記ファンモータ電力供給部を通じて電力を供給する前記ファンモータを決定する請求項１に記載の空気調和機の室外機。
【発明の詳細な説明】
【技術分野】
【０００１】
本発明は、ファンにより室外熱交換器に外気を送って冷媒と外気との熱交換を行う空気調和機の室外機に関する。
【背景技術】
【０００２】
室外熱交換器に外気を送る室外ファンが室外機に上下に２台並べて設置されている空気調和機において、外気温度が低い状態で冷房運転を行うと、室外熱交換器における外気と冷媒との熱交換量が、室内機で必要とされている運転能力以上となり、室内が冷え過ぎる状態となる。【０００３】
このような場合に、下方の室外ファンを停止させ、上方の室外ファンのみ回転させることにより、室外熱交換器における外気と冷媒との熱交換量を減らし、室内機で必要とされている運転能力を超える熱交換が行われることを防ぐ技術がある。この技術では、上方の室外ファンを回転させているため、機械室上部に設けられた外気温度センサを含む電装品付近の外気は滞留せず、外気温度センサの検出値の正確性と電装品の冷却効率は維持される。【０００４】
一方、工場での組立て時又はメンテナンス作業におけるファンモータの交換時などに、２台の室外ファンの各々を回転させるファンモータへ駆動電力を供給するための配線が逆に接続されることがある。この場合、外気温度センサ及び電装品から離れた位置に配置されている下方ファンが回転することとなり、正確な外気温度の検出ができなくなるとともに電装品の冷却が行えず、電装品が過熱し故障にいたる可能性がある。【０００５】
特許文献１には、外気温度センサの検出値を基に２台のファンモータの接続状態を判別するモードを設け、外気温度センサの検出値の上昇によって室外熱交換器の温度上昇を検知し、２台のファンモータが逆に接続されていると判断した場合は、駆動電力の供給先を入れ替え、意図したファンモータを回転させる手法が提案されている。
【先行技術文献】
【特許文献】
【０００６】
【特許文献１】特許第５５１６４６６号公報
【発明の概要】
【発明が解決しようとする課題】
【０００７】
しかしながら、特許文献１に開示される手法は、複数の室内機を接続可能で、各室内機を個別に運転又は停止できるビル用マルチ空調システムの室外機である場合には、誤接続を検知できないおそれがある。ビル用マルチ空調システムは、ＶＲＦ（Variable  Refrigerant  Flow）システムとも称される。ＶＲＦシステムでは、接続された全ての室内機を運転した場合でも耐えられる熱交換能力を持つ室外機が一般的に選定される。ビル用マルチシステムにおいて、少数台の室内機のみを冷房運転した場合、室外熱交換器は室内機で必要とされている運転能力に対し余裕のある熱交換能力を有することとなるため、室外熱交換器の温度はほとんど上昇せず、外気温度センサの検出値も上がらないため誤接続を検知できない。【０００８】
このように、外気温度センサの検出値に基づいてファンモータの誤接続を検知する方法では、ファンモータの誤接続を検知できない場合があるという問題があった。【０００９】
本発明は、上記に鑑みてなされたものであって、ファンモータの誤接続を検知できる確率を向上させることができる空気調和機の室外機を得ることを目的とする。
【課題を解決するための手段】
【００１０】
上述した課題を解決し、目的を達成するために、本発明に係る空気調和機の室外機は、圧縮機と流路切替装置と室外熱交換器と減圧装置と室内熱交換器とが冷媒配管を介して接続された冷媒回路と、上下に並べて配置され、室外熱交換器に空気を供給する二つの室外ファンと、二つの室外ファンの各々を駆動する二つのファンモータと、ファンモータを接続可能な二つのファンモータ接続部と、ファンモータ接続部に接続された二つのファンモータの各々へ独立して電力供給可能なファンモータ電力供給部を有する制御装置と、制御装置を囲う電装品箱の内部に設置されて少なくとも制御装置を構成する部品を含む電装品の温度を測定する電装品温度センサとを備える。制御装置は、二つの室外ファンのうち上側の一方のみを運転する片ファン運転時には、片ファン運転の開始時の電装品の温度と、片ファン運転を開始してから設定時間経過後の電装品の温度との比較により、二つのファンモータの各々が二つのファンモータ接続部のどちらに接続されているかを検知し、検知の結果に基づいて、上方に配置された室外ファンが駆動するように電力供給を行うコントローラを備える。
【発明の効果】
【００１１】
本発明に係る空気調和機の室外機は、ファンモータの誤接続を検知できる確率を向上させることができるという効果を奏する。
【図面の簡単な説明】
【００１２】
【図１】本発明の実施の形態１に係る空気調和機の冷媒循環経路を示す図
【図２】実施の形態１に係る空気調和機の室外機の内部の斜視図
【図３】実施の形態１に係る空気調和機の室外機の制御系のブロック図
【図４】実施の形態１に係る空気調和機の室外機の片ファン運転の動作の流れを示すフローチャート
【図５】本発明の実施の形態２に係る空気調和機の室外機の制御系のブロック図
【図６】実施の形態２に係る空気調和機の室外機の片ファン運転の動作の流れを示すフローチャート
【図７】実施の形態１又は実施の形態２に係る空気調和機の室外機のコントローラの機能をハードウェアで実現した構成を示す図
【図８】実施の形態１又は実施の形態２に係る空気調和機の室外機のコントローラの機能をソフトウェアで実現した構成を示す図
【発明を実施するための形態】
【００１３】
以下に、本発明の実施の形態に係る空気調和機の室外機を図面に基づいて詳細に説明する。なお、この実施の形態によりこの発明が限定されるものではない。
【００１４】
実施の形態１．
図１は、本発明の実施の形態１に係る空気調和機の冷媒循環経路を示す図である。実施の形態１に係る空気調和機１００は、室外機９０に複数の室内機８０ａ，８０ｂが接続されＶＲＦシステムを構成している。
【００１５】
室外機９０は、圧縮機１、流路切替装置３、室外熱交換器４、第１静止弁５及び第２静止弁６を有する。圧縮機１、流路切替装置３、室外熱交換器４、第１静止弁５及び第２静止弁６は、冷媒配管によって接続され、冷媒回路３０を構成している。圧縮機１は、冷媒を吸入し、吸入した冷媒を圧縮して高温高圧の状態にして冷媒回路３０に搬送する。流路切替装置３は、圧縮機１の下流側に設けられており、暖房運転時における冷媒の流れと冷房運転時における冷媒の流れとを切り替える。室外熱交換器４は空気と冷媒との間で熱交換を行う。室外熱交換器４は、冷房運転時には凝縮器の働きをし、暖房運転時には蒸発器の働きをする。
【００１６】
また室外機９０は、圧力センサ及び温度センサといった各種センサと、基板及びコントローラ１９を備えた制御装置１６とを備えている。制御装置１６は、各種センサ及び流路切替装置３と電気的に接続されている。制御装置１６が備えるセンサには、外気温度センサ９、電装品温度センサ１７、高圧側圧力センサ２及び低圧側圧力センサ１４を例示できる。外気温度センサ９は室外空気の外気温度を検出する。電装品温度センサ１７は制御装置１６の基板温度を検出する。また高圧側圧力センサ２は、圧縮機１の吐出側に設けられ、冷媒の高圧側圧力を検出する。冷媒の高圧側出力は、凝縮器圧力とも称される。また低圧側圧力センサ１４は、圧縮機１の吸入側に設けられ、冷媒の低圧側圧力を検出する。冷媒の低圧側圧力は、蒸発器圧力とも称される。
【００１７】
また室外機９０は、室外熱交換器４に空気を供給する室外ファン７ａ，７ｂと、室外ファン７ａ，７ｂを駆動するファンモータ８ａ，８ｂとを有している。室外ファン７ａ，７ｂには、プロペラファンを適用できる。図２は、実施の形態１に係る空気調和機の室外機の内部の斜視図である。図２に示すように、ファンモータ８ａ，８ｂは、ファンモータ取付部５０に固定される。図３は、実施の形態１に係る空気調和機の室外機の制御系のブロック図である。ファンモータ８ａ，８ｂは、図３に示すように、制御装置１６が備えるコントローラ１９により、ファンモータ電力供給部２０とファンモータ接続部１５ａ，１５ｂとファンモータ配線部１８ａ，１８ｂとを介し、駆動される。室外ファン７ａ，７ｂは、制御装置１６に送風して基板を冷却している。図２に示すように、制御装置１６は電装品箱４０に囲われている。電装品箱４０は、セパレータ５１上部に取付けられている。電装品箱４０に収容される電装品は、少なくとも制御装置１６を構成する部品を含む。制御装置１６を構成する部品は、回路基板及び電子部品の他、電源接続用の端子台及び各種センサを例示できる。また、セパレータ５１には不図示のスリットが設けられており、室外ファン７ａ，７ｂの送風による制御装置１６の冷却を可能にしている。
【００１８】
室内機８０ａ，８０ｂは、冷媒を減圧して膨張させる減圧装置１０ａ，１０ｂと室内熱交換器１１ａ，１１ｂとを有する。減圧装置１０ａ，１０ｂ及び室内熱交換器１１ａ，１１ｂは、冷媒配管によって接続されている。室内熱交換器１１ａ，１１ｂは、不図示のファンにより送風される空気と冷媒との間で熱交換を行う。室内熱交換器１１ａ，１１ｂは、冷房運転時には蒸発器の働きをし、暖房運転時には凝縮器の働きをする。減圧装置１０ａ，１０ｂには、膨張弁を適用可能である。
【００１９】
また、室内機８０ａ，８０ｂは、各種の温度センサを備えている。室内機８０ａ，８０ｂの各種センサ及び減圧装置１０ａ，１０ｂは、室外機９０の各種センサと同様に制御装置１６に電気的に接続されている。室内機８０ａ，８０ｂの温度センサには、室内熱交換器１１ａ，１１ｂの蒸発器温度を検出する蒸発器温度センサを例示できる。図１に示すように、蒸発器温度センサは、液管に設けられた室内液管温度センサ１２ａ，１２ｂと、ガス管に設けられた室内ガス管温度センサ１３ａ，１３ｂとから構成されている。
【００２０】
図１に示すように、空気調和機１００は、複数台の室内機８０ａ，８０ｂを備えている。室内機８０ａ，８０ｂは、第１静止弁５と第２静止弁６との間で冷媒配管によって並列に接続されている。室内機８０ａでは、室内熱交換器１１ａと減圧装置１０ａとが接続されている。室内機８０ｂでは、室内熱交換器１１ｂと減圧装置１０ｂとが接続されている。室内熱交換器１１ａには、室内液管温度センサ１２ａと室内ガス管温度センサ１３ａとが設けられている。室内熱交換器１１ｂには、室内液管温度センサ１２ｂと室内ガス管温度センサ１３ｂとが設けられている。
【００２１】
圧縮機１、流路切替装置３、室外熱交換器４、第１静止弁５、減圧装置１０ａ，１０ｂ、室内熱交換器１１ａ，１１ｂ及び第２静止弁６が順次配管で接続されて冷媒を循環させる冷媒回路３０が形成されている。
【００２２】
制御装置１６は、冷媒回路３０及び室外ファン７ａ，７ｂの運転を制御する。具体的には、各種センサで得られた検出値に基づいて、圧縮機１の容量制御、減圧装置１０ａ，１０ｂの開度制御及び室外ファン７ａ，７ｂの駆動制御を行う。
【００２３】
室外機９０が備える各種センサのうち、外気温度センサ９は室外熱交換器４の上部に取り付けられているため、室外熱交換器４付近の外気の状態の影響を受けやすい。室内機８０ａ，８０ｂの一方のみを運転した場合、室外熱交換器４は室内機８０ａ又は室内機８０ｂで必要とされている運転能力に対し、余裕のある熱交換能力を有することとなるため、室外熱交換器４の温度はほとんど上昇せず、外気温度センサ９の検出値も上昇しない。また、外風が強い場合においては、室外ファン７ａ，７ｂの回転によらず室外熱交換器４への外気通流が起こるため、外気が滞留せず、外気温度センサ９の検出値は上昇しない。また、暖房運転時には室外熱交換器４は蒸発器の働きをするため、冷媒の温度が下がり、外気温度センサ９の検出値も下がる。
【００２４】
一方、室外機９０が備える各種センサのうち、電装品温度センサ１７は、室内機８０ａ，８０ｂの一方のみを運転した場合でも、電装品を流れる電流と電装品の持つ抵抗値によって必ず電装品の発熱が生じ、電装品温度センサ１７の検出値は上昇する。また、外風が強い場合においても、電装品温度センサ１７は、電装品箱４０内に設置されていることから、外風の影響を受けず、電装品温度上昇を検知できる。電装品温度センサ１７は、電装品箱４０内に設置されており、セパレータ５１に設けられたスリットの部分を除いて室外ファン７ａ，７ｂから遮蔽されているため、電装品温度センサ１７の測定結果は、室外ファン７ａ，７ｂが発生させる気流の影響を外気温度センサ９の測定結果よりも受けにくい。また、暖房運転時においても、電装品を流れる電流と電装品の持つ抵抗値によって必ず電装品の発熱が生じるため、電装品温度上昇を検知できる。
【００２５】
図４は、実施の形態１に係る空気調和機の室外機の片ファン運転の動作の流れを示すフローチャートである。ステップＳ１０１において、コントローラ１９は、片ファン運転開始条件が成立したか否かを判断する。片ファン運転開始条件が成立したならば、ステップＳ１０１でＹｅｓとなり、ステップＳ１０２へ進む。片ファン運転開始条件が成立していなければ、ステップＳ１０１でＮｏとなり、ステップＳ１０１を繰り返す。
【００２６】
ステップＳ１０２において、コントローラ１９は、ファンモータ電力供給部２０に対し、上方のファンモータ８ａのみに電力を供給し、下方のファンモータ８ｂへの電力供給を停止させる命令を出力する。また、コントローラ１９は、電装品温度センサ１７が測定した電装品温度を記憶する。このようにして、コントローラ１９は、片ファン運転を実行する。
【００２７】
ステップＳ１０３において、コントローラ１９は、片ファン運転を開始してから設定時間が経過したか否かを判断する。片ファン運転を開始してから設定時間が経過していれば、ステップＳ１０３でＹｅｓとなり、ステップＳ１０４へ進む。設定時間が経過していなければ、ステップＳ１０３でＮｏとなり、ステップＳ１０３を繰り返す。
【００２８】
ステップＳ１０４において、コントローラ１９は、電装品温度センサ１７が測定した電装品温度の現在値と、片ファン運転開始時の電装品温度との差が閾値未満であるか否かを判断する。片ファン運転開始時の電装品温度と現在の電装品温度との差が閾値未満であれば、ステップＳ１０４でＹｅｓとなり、ステップＳ１０５へ進む。片ファン運転開始時の電装品温度と現在の電装品温度との差が閾値以上であれば、ステップＳ１０４でＮｏとなり、ステップＳ１０６へ進む。
【００２９】
ステップＳ１０５において、コントローラ１９は、室外ファン７ａ，７ｂの接続は正常であると判断し、ステップＳ１０８へ進む。
【００３０】
ステップＳ１０６において、コントローラ１９は、室外ファン７ａ，７ｂの接続が逆であると判断し、ステップＳ１０７へ進む。ステップＳ１０７において、コントローラ１９は、ファンモータ接続部１５ａへの給電を停止し、ファンモータ接続部１５ｂへの給電を開始する。すなわち、コントローラ１９は、ファンモータ接続部１５ａ，１５ｂへの給電を入れ替える。したがって、正規の状態とは逆にファンモータ接続部１５ａに接続されていたファンモータ８ｂへの電力供給は停止され、ファンモータ接続部１５ｂに接続されていたファンモータ８ａへの電力供給が開始される。ステップＳ１０７が終了したら、ステップＳ１０８へ進む。
【００３１】
ステップＳ１０８において、コントローラ１９は、片ファン運転終了条件が成立したか否かを判断する。片ファン運転終了条件が成立していれば、ステップＳ１０８でＹｅｓとなり、処理を終了する。片ファン運転終了条件が成立していなければ、ステップＳ１０８でＮｏとなり、ステップＳ１０８を繰り返す。
【００３２】
実施の形態１に係る空気調和機１００の室外機９０は、電装品温度センサ１７の検出値に基づいてファンモータ８ａ，８ｂの誤接続を検知するため、少数台の室内機のみで冷房運転した場合、すなわち室内機８０ａ，８０ｂの一方のみで冷房運転したでもファンモータ８ａ，８ｂの誤接続を検知できる。
【００３３】
また、実施の形態１に係る空気調和機１００の室外機９０は、電装品温度センサ１７が電装品箱４０内に設置されているため、外風が強く外気温度センサ９の周囲に空気が滞留せず、外気温度センサ９の検出値が上昇しない条件下でもファンモータ８ａ，８ｂの誤検出を検知できる。
【００３４】
なお、上述の低外気温環境での冷房運転時以外に、高外気温環境での暖房運転時にも、室外熱交換器における外気と冷媒との熱交換量が室内機で必要とされている運転能力以上となりうる。この場合、外気と冷媒との熱交換量を減らし、室内での必要運転能力を確保するために室外ファン７ａ，７ｂのうち上側の一方のみ回転させても、暖房運転において室外熱交換器４は蒸発器の働きをするので、外気温度センサ９によって測定される外気温度は下がることとなる。したがって、外気温度センサ９の検出値が上昇することによって誤接続を検知する手法では、暖房運転において誤接続を判断できない。しかし、実施の形態１に係る空気調和機１００の室外機９０は、電装品温度センサ１７の検出値に基づいてファンモータ８ａ，８ｂの誤接続を検知するため、高外気温環境で暖房運転を行う場合でも、ファンモータ８ａ，８ｂの誤接続を検知できる。
【００３５】
実施の形態２．
図５は、本発明の実施の形態２に係る空気調和機の室外機の制御系のブロック図である。実施の形態２に係る空気調和機１００の室外機９０は、制御装置１６が接続状態記憶部２１を有する点で実施の形態１に係る空気調和機１００の室外機９０と相違している。接続状態記憶部２１は、ファンモータ８ａ，８ｂの各々がファンモータ接続部１５ａ，１５ｂのどちらに接続されているかを示す接続状態情報を記憶する。
【００３６】
図６は、実施の形態２に係る空気調和機の室外機の片ファン運転の動作の流れを示すフローチャートである。ステップＳ１０１とステップＳ１０２との間にステップＳ１０９及びステップＳ１１０の処理が追加されている点で、実施の形態１に係る室外機９０の片ファン運転の動作と相違している。
【００３７】
片ファン運転開始条件が成立すると、ステップＳ１０９において、コントローラ１９は、接続状態記憶部２１に接続状態情報が記憶されているか否かを判断する。接続状態記憶部２１に接続状態情報が記憶されていれば、ステップＳ１０９でＹｅｓとなり、ステップＳ１１０に進んで、接続状態記憶部２１から接続状態情報を読み出してステップＳ１０２へ進む。接続状態情報が記憶されていなければ、ステップＳ１０９でＮｏとなり、ステップＳ１０２へ進む。
【００３８】
ステップＳ１０２において、コントローラ１９は、ファンモータ電力供給部２０に対し、上方のファンモータ８ａのみに電力を供給し、下方のファンモータ８ｂへの電力供給を停止させる命令を出力する。このとき、ステップＳ１１０で接続状態情報を読み出している場合は、ファンモータ接続部１５ａ，１５ｂのうち、ファンモータ８ａに接続されている方に給電することにより、ファンモータ８ａに電力を供給する。
【００３９】
以降の動作は、ステップＳ１０５又はステップＳ１０６において、接続状態情報を接続状態記憶部２１に記憶させることを除いて、実施の形態１に係る室外機の動作と同様である。
【００４０】
実施の形態２に係る空気調和機１００の室外機９０は、接続状態記憶部２１に接続状態情報が記憶されている場合には、室外ファン７ａのみが駆動されるように片ファン運転を開始することができる。したがって、片ファン運転開始直後から制御装置１６を冷却することができ、温度上昇により電装品が故障する可能性を低くすることができる。
【００４１】
上記の実施の形態１又は実施の形態２に係る空気調和機１００の室外機９０のコントローラ１９の機能は、処理回路により実現される。処理回路は、専用のハードウェアであっても、記憶装置に格納されるプログラムを実行する処理装置であってもよい。
【００４２】
処理回路が専用のハードウェアである場合、処理回路は、単一回路、複合回路、プログラム化したプロセッサ、並列プログラム化したプロセッサ、特定用途向け集積回路、フィールドプログラマブルゲートアレイ、又はこれらを組み合わせたものが該当する。図７は、実施の形態１又は実施の形態２に係る空気調和機の室外機のコントローラの機能をハードウェアで実現した構成を示す図である。処理回路２９には、コントローラ１９の機能を実現する論理回路２９ａが組み込まれている。
【００４３】
処理回路２９が処理装置の場合、コントローラ１９の機能は、ソフトウェア、ファームウェア、又はソフトウェアとファームウェアとの組み合わせにより実現される。
【００４４】
図８は、実施の形態１又は実施の形態２に係る空気調和機の室外機のコントローラの機能をソフトウェアで実現した構成を示す図である。処理回路２９は、プログラム２９ｂを実行するプロセッサ２９１と、プロセッサ２９１がワークエリアに用いるランダムアクセスメモリ２９２と、プログラム２９ｂを記憶する記憶装置２９３を有する。記憶装置２９３に記憶されているプログラム２９ｂをプロセッサ２９１がランダムアクセスメモリ２９２上に展開し、実行することにより、コントローラ１９の機能が実現される。ソフトウェア又はファームウェアはプログラム言語で記述され、記憶装置２９３に格納される。プロセッサ２９１は、中央処理装置を例示できるがこれに限定はされない。記憶装置２９３は、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）、フラッシュメモリー、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）、又はＥＥＰＲＯＭ（登録商標）（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）といった半導体メモリを適用できる。半導体メモリは、不揮発性メモリでもよいし揮発性メモリでもよい。また記憶装置２９３は、半導体メモリ以外にも、磁気ディスク、フレキシブルディスク、光ディスク、コンパクトディスク、ミニディスク又はＤＶＤ（Ｄｉｇｉｔａｌ  Ｖｅｒｓａｔｉｌｅ  Ｄｉｓｃ）を適用できる。なお、プロセッサ２９１は、演算結果といったデータを記憶装置２９３に出力して記憶させてもよいし、ランダムアクセスメモリ２９２を介して不図示の補助記憶装置に当該データを記憶させてもよい。
【００４５】
処理回路２９は、記憶装置２９３に記憶されたプログラム２９ｂを読み出して実行することにより、コントローラ１９の機能を実現する。プログラム２９ｂは、コントローラ１９の機能を実現する手順及び方法をコンピュータに実行させるものであるとも言える。
【００４６】
なお、処理回路２９は、一部を専用のハードウェアで実現し、一部をソフトウェア又はファームウェアで実現するようにしてもよい。
【００４７】
このように、処理回路２９は、ハードウェア、ソフトウェア、ファームウェア、又はこれらの組み合わせによって、上述の各機能を実現することができる。
【００４８】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００４９】
１  圧縮機、２  高圧側圧力センサ、３  流路切替装置、４  室外熱交換器、５  第１静止弁、６  第２静止弁、７ａ，７ｂ  室外ファン、８ａ，８ｂ  ファンモータ、９  外気温度センサ、１０ａ，１０ｂ  減圧装置、１１ａ，１１ｂ  室内熱交換器、１２ａ，１２ｂ  室内液管温度センサ、１３ａ，１３ｂ  室内ガス管温度センサ、１４  低圧側圧力センサ、１５ａ，１５ｂ  ファンモータ接続部、１６  制御装置、１７  電装品温度センサ、１８ａ，１８ｂ  ファンモータ配線部、１９  コントローラ、２０  ファンモータ電力供給部、２１  接続状態記憶部、２９  処理回路、２９ａ  論理回路、２９ｂ  プログラム、３０  冷媒回路、４０  電装品箱、５０  ファンモータ取付部、５１  セパレータ、８０ａ，８０ｂ  室内機、９０  室外機、１００  空気調和機、２９１  プロセッサ、２９２  ランダムアクセスメモリ、２９３  記憶装置。
【図１】
2020049633.tif 000003
【図２】
2020049633.tif 000004
【図３】
2020049633.tif 000005
【図４】
2020049633.tif 000006
【図５】
2020049633.tif 000007
【図６】
2020049633.tif 000008
【図７】
2020049633.tif 000009
【図８】
2020049633.tif 000010
【国際調査報告】
2020049633.tif 000011
2020049633.tif 000012
2020049633.tif 000013